(57)【要約】【課題】  軽くて嵩張らず携帯に便利であり、しかも必要なときにすぐ使用でき、安価な簡易ハットを得ること。【解決手段】日差しを遮る本体１２と、この本体に取り付けられ頭部に支える帯体１３とから成るハンチング帽１１であって、前記本体及び前記帯体が繊維性の高い材料により作られて成る。【選択図】図１
2006009173.tif 000002
【特許請求の範囲】
【請求項１】
日差しを遮る本体と、この本体に取り付けられ頭部に支える帯体とから成るハットであって、前記本体及び前記帯体が繊維性の高い材料により作られて成ることを特徴とする簡易ハット。
【請求項２】
日差しを遮る本体と、この本体に取り付けられ頭部に支える帯体とから成るハットであって、前記本体及び前記帯体が繊維性が高く、通気性がよい紙により作られて成ることを特徴とする簡易ハット。
【請求項３】
日差しを遮る本体と、この本体に取り付けられ頭部に支える帯体とから成るハットであって、前記本体はポリプロピレン又はポリエチレンの混合物からなる繊維性の高い化学繊維から成り、前記帯体は通気性のよい紙により作られて成ることを特徴とする簡易ハット。
【請求項４】
前記ハットは、ハンチング帽又はサンバイザーであることを特徴とする請求項１乃至３のいずれか１に記載の簡易ハット。
【発明の詳細な説明】
【技術分野】
【０００１】
本発明は、携帯に便利な、ハンチング帽やサンバイザーなどの帽子（ハット）に関する。
【背景技術】
【０００２】
夏の暑い日などには、帽子があると暑さをしのぐことができ、快適である。しかし、帽子は通常、嵩張るものでありかばんなどに入れておくことはできず、自宅などを出るときには気がまわらなく、外に出て特に炎天下で初めて、帽子を持ってくればよかったと気づくことがしばしばある。
【０００３】
このように従来の帽子は持ち運びに不便であり、暑い日に必要になったときその場で使えるような帽子は従来なかった。
【０００４】
従来知られている紙製の帽子はいくつかある。例えば、特許文献１には、通気性素材からなる帽子本体とこの帽子本体を保持すべく帽子本体にシールによって取り付けられた保持体からなる帽子が記載されている。また特許文献２には、政策が容易で安価な紙製の切り抜き折り畳み帽子が記載されている。
【０００５】
しかし、前者は使用に際しては組み立てが複雑であり、シールがついているので、平らにすることができずやはり嵩張って、携帯に不便である。また後者も使用に際しては複雑な折りたたみ工程が必要であり、使いたいときにすぐ使えるようなものではない。
【特許文献１】特開平９−３１７３６号公報
【特許文献２】実用新案登録第３００８０７５号公報
【発明の開示】
【発明が解決しようとする課題】
【０００６】
本発明は上記のような従来の帽子の問題点に鑑みてなされたもので、軽くて嵩張らず携帯に便利であり、しかも必要なときにすぐ使用できる、安価な簡易ハットを提供することを目的とする。
【課題を解決するための手段】
【０００７】
本発明の請求項１によれば、日差しを遮る本体と、この本体に取り付けられ頭部に支える帯体とから成るハットであって、前記本体及び前記帯体が繊維性の高い材料により作られて成ることを特徴とする簡易ハットを提供する。
【０００８】
本発明の請求項２によれば、日差しを遮る本体と、この本体に取り付けられ頭部に支える帯体とから成るハットであって、前記本体及び前記帯体が繊維性が高く、通気性がよい紙により作られて成ることを特徴とする簡易ハットを提供する。
【０００９】
本発明の請求項３によれば、日差しを遮る本体と、この本体に取り付けられ頭部に支える帯体とから成るハットであって、前記本体はポリプロピレン又はポリエチレンの混合物からなる繊維性の高い化学繊維から成り、前記帯体は通気性のよい紙により作られて成ることを特徴とする簡易ハットを提供する。
【００１０】
本発明の請求項４によれば、請求項１乃至３のいずれか１に記載の簡易ハットにおいて、前記ハットはハンチング帽又はサンバイザーであることを特徴とする。
【発明の効果】
【００１１】
本発明によれば、軽くて嵩張らず携帯に便利であり、しかも必要なときにすぐ使用できる、安価な簡易ハットが得られる効果がある。
【発明を実施するための最良の形態】
【００１２】
以下、本発明の実施形態について図面を用いて説明する。図１（ａ）（ｂ）に、本発明一実施形態によるハンチング帽を使用しているときと、畳んだときの外観を示す。
【００１３】
このハンチング帽１１は、日差しを遮るための本体１２と、この本体１２の下面に、この本体１２を頭部に支えるための帯体１３とから成る。本体１２と帯体１３は、例えば繊維性が高く、通気性がよい軽い紙により作られている。この紙は、例えば厚手の和紙やわら半紙であり、しわくちゃにしても立体感のある手触りのよいものである。
【００１４】
このハンチング帽１１の紙は、例えば三椏（みつまた）、楮（こうぞ）、木材パルプを所定割合で混ぜて作られた紙であってもよい。
【００１５】
このハンチング帽１１を被るときには、図１（ａ）に示すように、本体１２を持ち上げる。また、使用しないときには、図１（ｂ）に示すように本体１２を上から圧迫する。このように、使用しないときに薄くすることが可能であって、嵩張らなく、かばんなどに入れておく場合にも邪魔にならない利点がある。
【００１６】
しかも上記実施形態のハンチング帽は、繊維性が高い紙によりできているので、使用しないときに押しつぶしても、破れるようなことはなく長寿命であり、使用時にはふっくらと丸みを帯びて、使い易い。また、本体１２は通気性のよい紙でできているので、頭が蒸れることも少なく、快適に使用できる。
【００１７】
図２にサンバイザーに本発明を適用した本発明の他の実施形態の使用時の外観を示す。このサンバイザー２１は、日差しを遮る本体であるひさし部２２と、このひさし部２２に取り付けられた伸縮部を一部に有する帯体２３とから成る。ひさし部２２は、日よけの機能を有する部分であり、帯体２３は、ひさし部２２を頭部に支え固定する機能を有する。
【００１８】
このサンバイザー２１のひさし部２２と帯体２３が、例えば繊維性が高く、通気性がよい軽い紙により作られている。この紙は、例えば三椏（みつまた）、楮（こうぞ）、木材パルプを所定割合で混ぜて作られる。このようなサンバイザー２１を使用するときには、帯体２３に頭部を通すことによりなされる。
【００１９】
この実施形態のサンバイザー２１は紙でできているので、押しつぶせば容易に薄くすることができて嵩張らず、使用しないときにかばんに入れておくことも容易にでき、しかも軽量である。
【００２０】
上記図２に示したサンバイザー２１の帯体２３は、輪状になっていた。しかし、図３に示すように、サンバイザー３１は、ひさし部３２に付けられる部分以外は切れている帯体３３であってもよい。この実施形態でも、ひさし部３２と帯体３３は、繊維性が高く、通気性のよい紙により作られている。このサンバイザー３１を頭部に固定するには、帯体３３の端近くを、所定の固定具（図示せず）により髪に固定することによりなされる。
【００２１】
この実施形態では、帯体３３が輪状になっておらず、押しつぶしたときに、この場合は平らになるので、図２に示したザンバイザーよりも更に薄くすることができ、持ち運びが更に容易となる利点がある。
【００２２】
上記実施形態では、本体と帯体、ひさし部と帯体が別に作られていた。このように作るときには、帯体を取り替えることが可能にしておくこともできる。帯体は使用者の頭部に密着する部分であり、汗が染み付く恐れがあるが、このように帯体を取替え可能にしておくと、帯体に汗が染み付いたとき取り替えることが可能となり、常時快適に使用できる利点がある。しかし、本発明による簡易ハットは本体と帯体を別体にしなくて、紙で一体的に作成しても良い。このようにすれば、製造が簡単となり製造コストを下げることができる。
【００２３】
なお、本発明でいうハットには、ハンチング帽や、通常の帽子のほか、サンバイザーなど、頭にかぶって日差しを避けるものが含まれる。
【００２４】
ところで、上記実施形態では、本発明によるハットがすべて、繊維性が高く通気性がよい紙でできた場合について述べた。しかし、本発明では、すべてが紙により作られる場合だけに限られず、すべてをポリエチレンやポリプロピレンなどの混合物の繊維性の高い化学繊維により作られていてもよい。
【００２５】
特に、上記図１に示した本発明一実施形態のハンチング帽の本体や、図２、図３に示した実施形態のサンバイザーのひさし部はこれらの化学繊維で作られていれば、丈夫であり、長寿命のハットが得られる利点がある。しかもこのとき帯体が通気性のよい紙でできていれば頭部が蒸れることなく快適に使用でき長寿命の簡易ハットが得られる利点がある。
【００２６】
本発明による簡易ハットは、人に心地よい匂いを付着させることも可能である。このようにすれば、本発明の簡易ハットを被るとき、使用者は爽快に感じることができる。
【図面の簡単な説明】
【００２７】
【図１】本発明一実施形態の外観を示す図。
【図２】本発明の他の実施形態の外観を示す図。
【図３】本発明の更に他の実施形態の外観を示す図。
【符号の説明】
【００２８】
１１・・・ハンチング帽、
１２・・・本体、
１３，２３，３３・・・帯体、
２１，３１・・・サンバイザー、
２２，３２・・・ひさし部。
【図１】
2006009173.tif 000003
【図２】
2006009173.tif 000004
【図３】
2006009173.tif 000005